【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
光ディスクにレーザ光を照射して情報の記録または再生を行う光ピックアップ装置において、
波長が略４０５ｎｍのレーザ光を出射する半導体レーザと、
前記半導体レーザから出射された光ビームを前記光ディスクに照射する開口数が略０．８５の対物レンズと、
前記光ディスクを反射した光ビームを受光する受光部を有する光検出器と、を備え、
前記光ディスクから前記光検出器までの光学倍率を略１０．５〜１３．５倍の範囲としたことを特徴とする光ピックアップ装置。
【請求項２】
請求項１に記載の光ピックアップ装置において、
前記半導体レーザから出射された光ビームをメインビームとサブビームに分岐する回折格子を有し、
前記光検出器は、前記光ディスクを反射した前記メインビームとサブビームをそれぞれ受光する受光面を有することを特徴とする光ピックアップ装置。
【請求項３】
光ディスクにレーザ光を照射して情報の記録または再生を行う光ピックアップ装置において、
波長が略４０５ｎｍのレーザ光を出射する半導体レーザと、
前記半導体レーザから出射された光ビームを少なくともメインビームと２つのサブビームに分岐する回折格子と、
前記回折格子で分岐された光ビームを前記光ディスクに照射する開口数が略０．８５の対物レンズと、
前記光ディスクを反射した光ビームを受光する受光部を有する光検出器と、を備え、
前記光検出器は、前記メインビームと前記２つのサブビームをそれぞれ受光する受光面を有し、該２つのサブビームを検出する２つの受光面の中央部には、ディスク半径方向に延び、所定幅で入射光を遮断する遮光帯を設け、
前記光ディスクから前記光検出器までの光学倍率を略８〜１５倍の範囲としたことを特徴とする光ピックアップ装置。
【請求項４】
請求項１から３のいずれかに記載の光ピックアップ装置において、
前記光検出器の受光面は複数領域に分割されており、
トラッキング誤差信号は、各分割領域の検出信号をもとにディファレンシャルプッシュプル方式により生成されることを特徴とする光ピックアップ装置。
【請求項５】
請求項１から３のいずれかに記載の光ピックアップ装置において、
前記光検出器に入射する光ビームに非点収差を与える検出レンズを備え、
前記光検出器の受光面は複数領域に分割されており、
フォーカス誤差信号は、各分割領域の検出信号をもとに非点収差方式により生成されることを特徴とする光ピックアップ装置。
【請求項６】
光ディスクにレーザ光を照射して情報の記録または再生を行う光ピックアップ装置において、
波長が略４０５ｎｍのレーザ光を出射する半導体レーザと、
前記半導体レーザから出射された光ビームをメインビームとサブビームに分岐する回折格子と、
前記半導体レーザから出射された光ビームを前記光ディスクに照射する開口数が略０．８５の対物レンズと、
前記光ディスクを反射した光ビームを受光する受光部を有する光検出器と、
前記光検出器に入射する光ビームに非点収差を与える検出レンズと、を備え、
フォーカス誤差信号は、前記光検出器からの検出信号をもとに非点収差方式により生成され、
トラッキング誤差信号は、前記光検出器からの検出信号をもとにディファレンシャルプッシュプル方式により生成され、
前記光ディスクから前記光検出器までの光学倍率を略１０．５〜１３．５倍の範囲とする、ことを特徴とする光ピックアップ装置。
【請求項７】
光ディスクにレーザ光を照射して情報の記録または再生を行う光ピックアップ装置において、
波長が略４０５ｎｍのレーザ光を出射する半導体レーザと、
前記半導体レーザから出射された光ビームをメインビームとサブビームに分岐する回折格子と、
前記半導体レーザから出射された光ビームを前記光ディスクに照射する開口数が略０．８５の対物レンズと、
前記光ディスクを反射した光ビームを受光する受光部を有する光検出器と、
前記光検出器に入射する光ビームに非点収差を与える検出レンズと、を備え、
フォーカス誤差信号は、前記光検出器からの検出信号をもとに非点収差方式により生成され、
トラッキング誤差信号は、前記光検出器からの検出信号をもとにディファレンシャルプッシュプル方式により生成され、
前記光検出器は、前記メインビームと前記サブビームをそれぞれ受光する受光面を有し、該サブビームを検出する受光面の中央部には、光ディスクの半径方向に延び、所定幅で入射光を遮断する遮光帯を設け、
前記光ディスクから前記光検出器までの光学倍率を略８〜１５倍の範囲とすることを特徴とする光ピックアップ装置。
【請求項８】
光ディスクにレーザ光を照射して情報の記録または再生を行う光ピックアップ装置において、
波長が略４０５ｎｍのレーザ光を出射する半導体レーザと、
前記半導体レーザから出射された光ビームをメインビームとサブビームに分岐する回折格子と、
前記半導体レーザから出射された光ビームを前記光ディスクに照射する開口数が略０．８５の対物レンズと、
前記光ディスクを反射した光ビームを受光する受光部を有する光検出器と、
前記光検出器に入射する光ビームに非点収差を与える検出レンズと、を備え、
フォーカス誤差信号は、前記光検出器からの検出信号をもとに非点収差方式により生成され、
トラッキング誤差信号は、前記光検出器からの検出信号をもとにディファレンシャルプッシュプル方式により生成され、
前記光検出器は、前記メインビームと前記サブビームをそれぞれ受光する受光面を有し、
前記サブビームの受光面は、光ディスクの半径方向に延び、前記サブビームの中心を含む入射光を所定幅で検出しない領域を設け、
前記光ディスクから前記光検出器までの光学倍率を略８〜１５倍の範囲とすることを特徴とする光ピックアップ装置。
【請求項９】
光ディスクにレーザ光を照射して情報の記録または再生を行う光ピックアップ装置において、
波長が略４０５ｎｍのレーザ光を出射する半導体レーザと、
前記半導体レーザから出射された光ビームをメインビームとサブビームに分岐する回折格子と、
前記半導体レーザから出射された光ビームを前記光ディスクに照射する開口数が略０．８５の対物レンズと、
前記光ディスクを反射した光ビームを受光する受光部を有する光検出器と、
前記光検出器に入射する光ビームに非点収差を与える検出レンズと、を備え、
フォーカス誤差信号は、前記光検出器からの検出信号をもとに非点収差方式により生成され、
トラッキング誤差信号は、前記光検出器からの検出信号をもとにディファレンシャルプッシュプル方式により生成され、
前記光検出器は、前記メインビームと前記サブビームをそれぞれ受光する受光面を有し、
前記サブビームの受光面に、光ディスクの半径方向に延びた所定幅の領域を設け、該領域によって受光されるサブビームは、前記フォーカス誤差信号と前記トラッキング誤差信号の生成の際に用いず、
前記光ディスクから前記光検出器までの光学倍率を略８〜１５倍の範囲とすることを特徴とする光ピックアップ装置。
【請求項１０】
請求項１ないし９のいずれかに記載の光ピックアップ装置を搭載した光ディスク装置において、
前記光ピックアップ装置内における前記半導体レーザを駆動するレーザ点灯回路と、
前記光ピックアップ装置内の前記光検出器から検出された信号を用いてトラッキング誤差信号とフォーカス誤差信号を生成するサーボ信号生成回路と、
前記光ピックアップ装置を介して前記光ディスクに対し情報信号の記録または再生を行う情報信号記録回路または情報信号再生回路と、を備えることを特徴とする光ディスク装置。